(57)【要約】【課題】電源高調波の抑制と力率改善機能を有し、軽負荷時に高い効率を有する電源装置を提供する。【解決手段】交流電源１を、複数のコイル（２，３）を介してブリッジ接続されたダイオード（５ａ，５ｂ，５ｃ，５ｄ，５ｅ，５ｆ）により整流し、コンデンサ６により出力を平滑する電源装置において、前記複数のコイル（２，３）を単独あるいは直列接続に切り替える複数の開閉手段（４，８）を備えるとともに、前記コイル（２，３）を介して前記交流電源１を短絡せしめるスイッチング手段９を備える。これにより、従来の電源装置同等の力率改善機能を有する回路と、スイッチング損失を削減し、高い電力変換効率を得られる回路とを状況に応じて選択し、動作させることができる。【選択図】図１
2009219182.tif 000002
【特許請求の範囲】
【請求項１】
交流電源を、複数のコイルを介してブリッジ接続されたダイオードにより整流し、コンデンサにより出力を平滑する電源装置であって、前記複数のコイルを単独あるいは直列接続に切り替える複数の開閉手段を有するとともに、前記コイルを介して前記交流電源を短絡せしめるスイッチング手段を有する電源装置。
【請求項２】
複数の開閉手段は、電源装置の入力、出力、またはそれらに対応する電源装置の負荷状態に応じて開閉状態が切り替えられることを特徴とする請求項１に記載の電源装置。
【請求項３】
複数の開閉手段は、相補的に制御され、それらの切り替え時の一定時間、複数の開閉手段を全て閉とすることを特徴とする請求項１または２に記載の電源装置。
【請求項４】
複数のコイルが、直列接続された第１のコイル、第２のコイルで構成され、前記開閉手段が第１の開閉手段、第２の開閉手段で構成され、第１のコイルと第２のコイルの直列接続回路が第１の開閉手段を介してダイオード対の中点に接続され、第１のコイルと第２のコイルの中点が第２の開閉手段を介して異なるダイオード対の中点に接続され、前記スイッチング手段が第１のコイルおよび第２の開閉手段を介して交流電源を短絡せしめるよう接続された請求項１〜３のいずれか１項に記載の電源装置。
【請求項５】
複数のコイルは、共通のコアに磁束が同一方向となる向きに巻かれて構成されることを特徴とする請求項１〜４のいずれか１項に記載の電源装置。
【請求項６】
電源装置は、スイッチング手段をオン・オフ動作させる第１の動作モードと、複数のコイルを直列接続状態とし、前記スイッチング手段を常にオフとする第２の動作モードとを備え、第２の動作モードは、第１の動作モードよりも軽負荷となる条件で選択されることを特徴とする請求項１〜５のいずれか１項に記載の電源装置。
【発明の詳細な説明】
【技術分野】
【０００１】
本発明は、交流電源からの交流電圧を整流して負荷へ直流電圧を供給する電源装置に関する。
【背景技術】
【０００２】
従来、電源高調波の抑制と力率改善の機能を有する電源装置を実現する回路として、図１０に示すような回路が知られている。
【０００３】
図１０に示す回路によれば、電源装置は、図１１（ａ）の電圧波形を有する交流電源１からの入力電流を、図１１（ｂ）に示すような正弦波状に制御することで、高調波の抑制と力率改善とを行いつつ、交流電圧を全波整流して得られる直流電圧より高い出力電圧を負荷へ供給することができる（例えば、特許文献１参照）。
【０００４】
また、同様の機能を有する電源装置を実現する別の回路として、図１２に示すような、回路が知られている。
【０００５】
図１２の回路によれば、交流電源１から整流器１１２を介してコンデンサ６を充電する経路において、図１０の回路に比べてダイオード１０４の分だけ導通損が低減する効果に加えて、電源周期の一部区間のみ電源短絡手段１１０をＰＷＭ制御し、残りの区間電源短絡手段１１０をオフすることで、電源短絡手段１１０のスイッチング損失を低減することができるため、より高い電力変換効率を得ることができる（例えば、特許文献２参照）。
【特許文献１】特開昭６３−２２４６９８号公報
【特許文献２】特開２００１−１８６７７０号公報
【発明の開示】
【発明が解決しようとする課題】
【０００６】
しかしながら、上記従来の電源装置は、両者ともに電源短絡手段のスイッチング動作時に生じるリアクトルからの騒音発生を防止するために、可聴周波数領域外となる１６ｋＨｚ以上の高い周波数によるスイッチング動作を伴うため、コンバータ損失に占めるスイッチング損失の割合が比較的大きく、特に軽負荷時における電源装置の電力変換効率を高める上で課題となっていた。
【０００７】
本発明は、上記従来の課題を解決するもので、小型・軽量な構成で、電源高調波の抑制と力率改善の機能を有するとともに、軽負荷時において、高効率にて交流電圧から直流電圧に電力変換を行う電源装置を提供することを目的とする。
【課題を解決するための手段】
【０００８】
前記従来の課題を解決するために、本発明の電源装置は、複数のコイルを介してブリッジ接続されたダイオードにより交流電源を整流し、コンデンサにより出力を平滑する構成において、複数のコイルを単独あるいは直列接続に切り替える複数の開閉手段を有するとともに、前記コイルを介して前記交流電源を短絡せしめるスイッチング手段を有することにより、負荷の状態に応じて、前記開閉手段によって交流ラインに接続されるインダクタンスの大きさを切り替えると同時に、スイッチング手段の制御状態（スイッチング動作の有無）を切り替える。
【発明の効果】
【０００９】
本発明の電源装置は、中〜重負荷時において、従来の電源装置と同じ回路構成にてスイ
ッチング動作を行うことにより、従来の電源装置同等の電源高調波の抑制と力率改善の機能を備えるとともに、軽負荷時において、交流ラインに接続されるインダクタンス値を高くして、スイッチング動作を停止することできるため、軽負荷時における電力変換効率の高い電源装置を得ることができる。
【発明を実施するための最良の形態】
【００１０】
第１の発明は、複数のコイルを介してブリッジ接続されたダイオードにより交流電源を整流し、コンデンサにより出力を平滑する電源装置であって、前記複数のコイルを単独あるいは直列接続に切り替える複数の開閉手段を有するとともに、前記コイルを介して前記交流電源を短絡せしめるスイッチング手段を有することにより、負荷の状態に応じて、交流ラインに接続されるインダクタンスの大きさと、スイッチング手段の制御状態（スイッチング動作の有無）を切り替えることができるため、従来の電源装置同等の力率改善機能を有する回路と、交流ラインに接続されるインダクタンスを大きくしてスイッチング手段を常にオフとすることにより、スイッチング損失を削減し、高い電力変換効率を得られる回路とを状況に応じて選択し、動作させることができる。
【００１１】
第２の発明は、請求項１の発明において、電源装置の入力、出力、またはそれらに呼応する電源装置の負荷状態に応じて、前記開閉手段の開閉状態を切り替える構成とすることによって、軽負荷時にスイッチング手段をオフとし、高い電力変換効率が得られる回路での動作を選択することができる。
【００１２】
また、第２のコイルは、軽負荷時にのみ電流が流れるため、電流定格を小さく抑えられることができ、回路を小型・軽量な構成とすることができる。
【００１３】
第３の発明は、特に、請求項１または第２の発明において、複数の開閉手段を相補的に制御するとともに、それらの切り替え時の一定時間、複数の開閉手段を全て閉とすることによって、電流経路が切断されることなく滑らかに動作モード間を移行することができる。
【００１４】
第４の発明は、特に、請求項１〜３のいずれかに記載の発明において、複数のコイルを直列接続された第１のコイル、第２のコイルによって構成し、開閉手段を第１の開閉手段、第２の開閉手段で構成するとともに、第１のコイルと第２のコイルの直列接続回路を第１の開閉手段を介してダイオード対の中点に接続し、さらに、第１のコイルと第２のコイルの中点を第２の開閉手段を介して異なるダイオード対の中点に接続し、スイッチング手段を第１のコイルおよび第２の開閉手段を介して交流電源を短絡せしめるよう接続することによって、第１の発明と同様に、負荷の状態に応じて、交流ラインに接続されるインダクタンスの大きさと、スイッチング手段の制御状態（スイッチング動作の有無）を切り替えることができるため、従来の電源装置同等の力率改善機能を有する回路と、交流ラインに接続されるインダクタンスを大きくしてスイッチング手段を常にオフとし、スイッチング損失を削減することによって高い電力変換効率が得られる回路とを選択して動作させることができる。
【００１５】
第５の発明は、特に請求項１〜４のいずれかに記載の発明の第１のコイルおよび第２のコイルを、共通のコアにて、磁束が同一方向となる向きに巻いて構成することにより、回路をより小型・軽量化することができる。
【００１６】
第６の発明は、特に請求項１〜５のいずれかに記載の電源装置において、前記スイッチング手段をオン・オフ動作させる第１の動作モードと、前記複数のコイルを直列接続状態とし、前記スイッチング手段を常にオフに制御する第２の動作モードとを備え、第２の動作モードは、第１の動作モードよりも軽負荷となる条件で選択することによって、第１の
発明および第２の発明と同様に、中〜重負荷時において従来の電源装置同等の力率改善機能を有するとともに、軽負荷時において高い電力変換効率を得ることができるとともに、第２のコイルの電流定格を小さく抑えられることにより、回路を小型・軽量な構成とすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電源装置の主回路の構成を示すものである。
【００１９】
図１に示すように、本実施の形態における電源装置は、交流電源１からの交流電圧を、交流電源１の一方のラインに一端が接続された第１のコイル２と、第１のコイル２の他端に接続された、第２のコイル３および第１の開閉手段４の直列接続回路とを介して、それぞれハーフブリッジを構成するダイオード対（５ａ、５ｂ）およびダイオード対（５ｃ、５ｄ）によって整流した後、コンデンサ６によってその出力を平滑し、負荷７へ直流電圧を供給する第１の経路と、交流電源１からの交流電圧を、第１のコイル２と、前記第１のコイル２の他端に接続された第２の開閉手段８を介して、ダイオード対（５ａ，５ｂ）およびダイオード対（５ｅ，５ｆ）によって整流した後、コンデンサ６によってその出力を平滑し、負荷７へ直流電圧を供給する第２の経路とを有し、さらに、交流電源１を第１のコイル２を介して短絡・開放するスイッチング手段９を備える。
【００２０】
スイッチング手段９は、双方向性のスイッチング手段であり、例えば、図２（ａ）〜（ｃ）のような回路で構成される。
【００２１】
図３に、本実施の形態における電源装置の構成図を示す。
【００２２】
図３に示すように、本発明の電源装置は、図１に示した主回路構成に加えて、交流電源１からの入力電流を検出する電流検出手段１０と、抵抗１１ａ、１１ｂで構成されて負荷７へ供給している直流電圧を検出する直流電圧検出手段と、スイッチング手段９を駆動する駆動制御回路１２とを備え、入力電流を略正弦波状に保ちつつ、直流電圧が目標電圧に等しくなるように、制御部１３にてフィードバック制御を行い、駆動制御回路１２を通じてスイッチング手段９をＰＷＭ制御する。
【００２３】
本発明の電源装置は、第１の開閉手段４をオフ、第２の開閉手段８をオンとした状態で、スイッチング手段９をオン・オフ制御する第１の動作モードと、第１の開閉手段４をオン、第２の開閉手段８をオフとした状態で、スイッチング手段９を常にオフに制御する第２の動作モードとを備える。
【００２４】
なお、第２の開閉手段８の両端間には、電源投入時における突入電流を抑制するために、ＰＴＣ１４が挿入されており、制御部１３は、電源投入から数秒程度経過後に、第１の開閉手段４をオフに保持したまま、第２の開閉手段８をオンすることで、安全に第１の動作モードへと移行する。
【００２５】
図４は、本発明の実施の形態１における電源装置の第１の動作モード時における主回路の等価回路図を示したものである。
【００２６】
図４に示すように、本発明の電源装置は、第１の動作モードにおいて、スイッチング手段９にて、交流電源１を第１のコイル２を介して短絡・開放することによって、特許文献
１に示すような従来の電源装置と同様に、交流電源１からの入力電流波形を図１１（ｂ）に示すような電流波形に制御し、電源高調波の抑制および力率の改善を行うことができる。
【００２７】
図５は、本発明の実施の形態１における電源装置の第２の動作モード時における主回路の等価回路図を示したものである。
【００２８】
図５に示すように、本発明の電源装置は、第２の動作モードにおいて、第１のコイル２と第２のコイル３とが直列に接続されることによって、第１の動作モードに比べて大きなインダクタンスが交流ラインに接続されることから、インダクタンスの挿入効果によって高調波電流が低減することになる。
【００２９】
したがって、比較的軽負荷の状況においては、第１のコイル２と第２のコイル３の直列接続による得られる合成インダクタンスを一定の大きさ以上の値に設定することにより、スイッチング手段９のオン・オフ制御による入力電流制御を行わなくとも、電源高調波を規制値以下の値に抑制することが可能となる。
【００３０】
図６（ａ）〜（ｃ）に、交流電源１の電圧波形と、本発明の実施の形態１における電源装置の第２の動作モードにおける入力電流波形および電源高調波スペクトルの例を示す。
【００３１】
図６（ｃ）に示すように、本発明の電源装置は、第１のコイル２と第２のコイル３の直列接続による合成インダクタンスを２．５ｍＨ程度にすることによって、約２５０Ｗ入力時の電源高調波を規制値以下に抑制することが可能である。
【００３２】
なお、第１の開閉手段４および第２の開閉手段８は、一般にリレーで構成されることから、オン・オフの切替時には遅延やバウンスが生じる。
【００３３】
そのため、第１の動作モードおよび第２の動作モード間のモード移行の際には、第１の開閉手段４と第２の開閉手段８をともにオン状態とする期間を設けることによって、電流経路が切断されることを防止し、滑らかに動作モード間の移行を可能にしている。
【００３４】
以上のように、本発明の電源装置は、第１の動作モードおよび第２の動作モードの２つの動作モードを有するが、その選択にあたっては、中〜重負荷条件において、第１の動作モードが、所定の負荷条件よりも軽負荷の状態においてのみ第２の動作モードが選択される。
【００３５】
負荷条件の判定については、入力電流や出力電流を検出し、その電流値の大きさによって判別してもよいし、モータ負荷の場合にはモータの回転数等で判別しても構わない。
【００３６】
また、本発明の電源装置における第１のコイル２は、従来の電源装置と同様に、最大負荷時に流れる電流定格を備えたものが必要であるが、第２のコイル３は、軽負荷時にのみ電流が流れることから、コイルの電流定格は小さくなる。
【００３７】
一般に、特許文献１に示すような従来の構成の電源装置に用いられるリアクトル（チョークコイル）には、センダストやフェライト等の高周波系のコア材料が用いられるが、これらのコア材料は、飽和磁束密度、サイズ等の制約から、空気調和機など最大電流定格の大きな機器向けの電源装置では、数百μＨ程度のインダクタンス値にて設計されることが一般的である。
【００３８】
一方、スイッチング手段９をオフに制御した状態で、電源高調波を規制値以下に抑制す
るためには、リアクトルのインダクタンス値を約１ｍＨ以上とする必要があり、従来の電源装置では、非常に大きなリアクトルが必要となってしまう。
【００３９】
しかしながら、本発明の電源装置は、軽負荷時にスイッチング手段９をオフして高調波規制を満足するのに十分な大きさのインダクタンス値をもつリアクトルを、同一コアにて構成された第１のコイル２および第２のコイル３にて実現できることから、このような構成とすることによって従来の電源装置に比べ小型・軽量にて得ることができ、低コストにて高効率な電源装置を得ることが可能となる。
【００４０】
なお、本実施の形態において、スイッチング手段９の位置は、図１に示すように、第２の開閉手段８よりも負荷側としたが、第２の開閉手段８よりも交流電源１側に配置してももちろん構わない。
【００４１】
また、スイッチング手段９についても、双方向性スイッチによる構成とする代わりに、特開２００１−２３８４５２公報に示される電源装置のように、図７に示すような、ダイオード５ｅおよび５ｆにそれぞれ逆並列接続された２個のスイッチング手段９ａ、９ｂにて構成し、第１の動作モードにおいて、交流電源１の半周期毎に交互にスイッチング動作させ、第２の動作モードにおいて、双方のスイッチング手段９ａ，９ｂをオフに制御しても同様の効果が得られることは言うまでもない。
【００４２】
また、本実施の形態において、整流回路は、全波整流回路としたが、図８に示すように、倍電圧整流回路にて構成しても同様の効果が得られる。
【００４３】
（実施の形態２）
図９は、本発明の第２の実施の形態における電源装置の主回路の構成を示すものである。
【００４４】
図９に示すように、この実施の形態２における電源装置は、実施の形態１において、第１のコイル２と第２のコイル３とが共通のコアによって構成され、第１のコイル２と第２のコイル３は、交流電源１からの第１の開閉手段４に流れる経路で電流が流れる際に、両者のコイルによって生じる磁束の向きが同一となる向き（ノーマルモード）にて巻かれる。
【００４５】
本実施の形態における電源装置は、第１の動作モードにおいては、高いインダクタンスを形成するものの、第２のコイル３に流れる最大電流が低いことから、コアの最大磁束密度を、第２の動作モードにおける最大電流時の磁束密度以下に抑えることが可能である。
【００４６】
その結果、第１のコイル２と第２のコイル３を別々に構成した場合の第１のコイル２とほぼ同等のサイズのコア１個にて、第１のコイル２および第２のコイル３を構成することができるため、第１の実施の形態の電源装置に比べて、電源装置をより小型・低コストにて構成することができる。
【産業上の利用可能性】
【００４７】
以上のように、本発明にかかる電源装置は、小型・軽量な構成にて、電源高調波の抑制と力率改善の機能を有し、特に軽負荷時に高効率な電源装置を得ることができるため、比較的軽負荷で動作する頻度の高い、空気調和機や冷蔵庫をはじめ、洗濯機などの電化製品の電源装置として適用できる。
【図面の簡単な説明】
【００４８】
【図１】本発明の実施の形態１における電源装置の主回路構成図
【図２】（ａ）同実施の形態１におけるスイッチング手段の構成例を示す図（ｂ）同実施の形態１におけるスイッチング手段の構成例を示す図（ｃ）同実施の形態１におけるスイッチング手段の構成例を示す図
【図３】同実施の形態１における電源装置の構成図
【図４】同実施の形態１における電源装置の第１の動作モード時における主回路の等価回路図
【図５】同実施の形態１における電源装置の第２の動作モード時における主回路の等価回路図
【図６】（ａ）同実施の形態１における交流電源の電圧波形を示す図（ｂ）同実施の形態１における電源装置の第２の動作モードにおける入力電流波形の例を示す図（ｃ）同実施の形態１における電源装置の第２の動作モードにおける電源高調波スペクトルの例を示す図
【図７】同実施の形態１における電源装置の別の主回路構成図
【図８】同実施の形態１における電源装置のさらなる別の主回路構成図
【図９】本発明の実施の形態２における電源装置の主回路構成図
【図１０】従来の電源装置の構成図
【図１１】（ａ）従来の交流電源の電圧波形を示す図（ｂ）同従来の電源装置における入力電流波形を示す図
【図１２】従来の電源装置の別の構成を示す図
【符号の説明】
【００４９】
１  交流電源
２  第１のコイル
３  第２のコイル
４  第１の開閉手段
５ａ  ダイオード
５ｂ  ダイオード
５ｃ  ダイオード
５ｄ  ダイオード
５ｅ  ダイオード
５ｆ  ダイオード
６  コンデンサ
７  負荷
８  第２の開閉手段
９  スイッチング手段
【図１】
2009219182.tif 000003
【図６】
2009219182.tif 000004
【図１１】
2009219182.tif 000005
【図２】
2009219182.tif 000006
【図３】
2009219182.tif 000007
【図４】
2009219182.tif 000008
【図５】
2009219182.tif 000009
【図７】
2009219182.tif 000010
【図８】
2009219182.tif 000011
【図９】
2009219182.tif 000012
【図１０】
2009219182.tif 000013
【図１２】
2009219182.tif 000014